(57)【特許請求の範囲】
【請求項１】
開口部を有するスクリーンと、
前記スクリーンの表面側に配置され、映像信号に応じて前記スクリーンの表面に映像を投影する映像投影装置と、
前記開口部の前記スクリーンの裏面側に配置され、前記スクリーンの裏面側から前記スクリーンの表面側を撮影して撮影映像信号を出力する撮影装置とを具備する映像システムにおいて、
前記映像投影装置は、
外部から供給される映像信号に対応する映像中に、その映像の一部を黒くするマスク画像を重畳する一方、当該映像中に重畳するマスク画像の位置を調整するマスク画像重畳手段と、
前記マスク画像重畳手段によりマスク画像が重畳された映像を前記スクリーンに投射する投影手段と、
前記撮影装置により出力された撮影映像信号から当該撮影映像信号に対応する映像の輝度を示す輝度信号を入力する輝度入力手段とを有しており、
前記マスク画像重畳手段は、前記マスク画像の重畳位置を調整する場合、前記映像信号に対応する映像全域にわたって前記マスク画像の重畳位置を順次に移動させ、これらの重畳位置の各々と、マスク画像が当該重畳位置にある時に前記輝度入力手段により入力された輝度信号が示す輝度とを対応付けて記憶手段に記憶する一方、記憶手段に記憶された輝度のうち最も小さいものを特定し、前記マスク画像の重畳位置を、この特定した輝度に対応付けられた重畳位置に調整する
ことを特徴とする映像システム。
【請求項２】
前記マスク画像重畳手段は、前記マスク画像を前記映像信号に対応する映像全域にわたって移動させて前記マスク画像の位置を調整する場合に、前記マスク画像に所定の文字、絵柄または両者の映像を付随させて移動させる
ことを特徴とする請求項１に記載の映像システム。
【請求項３】
前記投影手段は、前記マスク画像の位置を調整する場合、高輝度の映像を前記スクリーンの表面に投影する
ことを特徴とする請求項１または２に記載の映像システム。
【請求項４】
前記マスク画像重畳手段は、前記マスク画像の重畳位置を調整した後に当該マスク画像の大きさを調整する
ことを特徴とする請求項１から３の何れかに記載の映像システム。
【発明の詳細な説明】
【０００１】
【発明の属する技術分野】
本発明は、スクリーン等に映像を投影する映像投影装置を備えた映像システムに関する。
【０００２】
【従来の技術】
近年では、遠隔地間で会議を行う通信会議システムが普及しつつある。図８に示すように、通信会議システムでは、会議を行う遠隔地のそれぞれに撮影用のカメラ１と映像を表示する映像表示装置２とを設け、カメラ１が撮影した映像信号を相手側に送信すると共に、相手側のカメラ１から通信ネットワーク等を介して送信される映像信号に応じた映像を映像表示装置２が表示するようになっている。このようにすることで、それぞれの遠隔地に設けられた映像表示装置２には相手側の映像がリアルタイムで表示され、遠隔地間で会議を行うことができる。
【０００３】
【発明が解決しようとする課題】
ところで、図８に示す通信会議システムでは、ユーザＡおよびユーザＢは、それぞれ映像表示装置２に表示される映像を見ながら会議を行うことになる。しかし、図８に示す通信会議システムでは、カメラ１が映像表示装置２の上方側に配置されているため、カメラ１によって撮影されたユーザＡおよびユーザＢの視線は下側に向くことになる。そして、このように視線のずれたユーザの映像が相手側の映像表示装置２に表示されることになり、ユーザＡおよびユーザＢの視線が一致しなくなってしまい、両ユーザに不自然な印象を与えてしまう。
【０００４】
そこで、通信会議を行うユーザの視線のずれを防止するために、図９に示すような通信会議システムが開発されている。同図に示すように、この通信会議システムでは、相手側から送信される映像信号に対応する映像を、プロジェクタ等の映像投影装置５を用いてスクリーン６に表示している。相手側で撮影された映像が表示されるスクリーン６のほぼ中央部分には開口部６ａが設けられており、この開口部６ａの裏面側にカメラ７が配置されている。このようにすると、ユーザはスクリーン６を見ていれば、そのユーザの視線はカメラ７に向くことになる。したがって、カメラ７により視線のあったユーザが撮影され、相手側の映像投影装置（不図示）に送信されることになる。
【０００５】
しかしながら、図９に示す通信会議システムでは、ユーザの視線のずれを防止することはできるものの、映像投影装置５とカメラ７とが対向する位置に配置されるため、映像投影装置５の発する光がカメラ７に入射してしまうことになる。このように映像投影装置５の発する光がカメラ７に入射すると、この入射光によりカメラ７に撮影された映像が乱れるフレアが発生する。すなわち、相手側に送信されて映し出される映像は、フレアが発生した乱れたものとなってしまう。特に、スクリーン６における開口部６ａ近傍に投影される映像が白色等の輝度の大きい映像である場合には、発生するフレアが大きくなってしまう。また、スクリーン６近傍に投影される映像が暗色な場合には発生するフレアが小さくなるが、投影される映像によりフレアの出方が変化するので、非常に見づらい映像が映し出されることになる。
【０００６】
このような映像投影装置５の発する光に起因する映像の乱れを低減するために、映像投影装置５を設置する位置と開口部６ａの位置との高低差を大きくし、映像投影装置５の発する光のカメラ７への入射量を低減する方法が用いられている。この方法では、カメラ７への光の入射量をある程度低減できるものの、光のカメラ７への入射をほぼ完全に防止することはできない。また、映像投影装置５と開口部６ａの設置位置に十分な高低差をとれる設置条件が必要となり、例えば天井の低い部屋などに設置する場合には、上記高低差を大きくとることができない。
【０００７】
また、図１０に示すように、開口部６ａの上側の縁にカットマスク６ｂを配置し、このカットマスク６ｂの取付位置を調整することにより、映像投影装置５の発する光のカメラ７への入射量を低減する方法もある。この方法によれば、映像投影装置５と開口部６ａの設置位置に大きな高低差をとれない場合にも、映像投影装置５の発する光のカメラ７の入射量をある程度低減することができるが、投影光のカメラ７への入射をほぼ完全に防止することはできない。また、カメラ７への入射量を低減するために取り付けるカットマスク６ｂが開口部６ａの開口面積を小さくし、カメラ７によって撮影可能な画角が減少してしまう。
【０００８】
また、特開平６−２３３２９０号公報には、映像投影装置５の前方の位置と、開口部６ａとカメラ７との間の位置にそれぞれ偏向フィルタを設置し、映像投影装置５の発する光がカメラ７に入射することを低減する技術が開示されている。しかしながら、この方法では、映像投影装置５の前方に配置された偏向フィルタによって映像投影装置５によりスクリーン６に映像を投影するための光量が減少してしまい、スクリーン６上に投影される映像が暗くなってしまうといった問題がある。この場合、室内を暗くして投影される映像を見やすくすることが考えられるが、こうすると、当該室内のカメラ７により撮影される画像が暗くなるといった悪循環に陥ってしまう。
【０００９】
また、特開平７−１４３４６９号公報に記載された装置では、表示部の裏面側に撮像部を配置し、表示部の透明度を増大させる期間と、通常に表示を行う期間とを切り替え、透明度が増大している期間中に撮像部が表示部の表面側を撮像している。この装置では、撮像部が表示部の上下左右などではなく、裏面側に配置されているので、表示部を見るユーザの視線が撮像部に向くことになるが、透明度を増大させる期間と、表示する期間を切り替えているので、表示画像がちらつくといった乱れが生じる。
【００１０】
本発明は、上記の事情を考慮してなされたものであり、通信会議システム等に使用した場合に、ユーザの視線がずれるなどの不自然な映像が写し出されることを抑制するとともに、フレアの発生等の映像の不具合をほぼ完全に防止することが可能な映像システムを提供することを目的とする。
【００１１】
【課題を解決するための手段】
上記課題を解決するため、本発明の請求項１に記載の映像システムは、開口部を有するスクリーンと、前記スクリーンの表面側に配置され、映像信号に応じて前記スクリーンの表面に映像を投影する映像投影装置と、前記開口部の前記スクリーンの裏面側に配置され、前記スクリーンの裏面側から前記スクリーンの表面側を撮影して撮影映像信号を出力する撮影装置とを具備する映像システムにおいて、前記映像投影装置は、外部から供給される映像信号に対応する映像中に、その映像の一部を黒くするマスク画像を重畳する一方、当該映像中に重畳するマスク画像の位置を調整するマスク画像重畳手段と、前記マスク画像重畳手段によりマスク画像が重畳された映像を前記スクリーンに投射する投影手段と、前記撮影装置により出力された撮影映像信号から当該撮影映像信号に対応する映像の輝度を示す輝度信号を入力する輝度入力手段とを有しており、前記マスク画像重畳手段は、前記マスク画像の重畳位置を調整する場合、前記映像信号に対応する映像全域にわたって前記マスク画像の重畳位置を順次に移動させ、これらの重畳位置の各々と、マスク画像が当該重畳位置にある時に前記輝度入力手段により入力された輝度信号が示す輝度とを対応付けて記憶手段に記憶する一方、記憶手段に記憶された輝度のうち最も小さいものを特定し、前記マスク画像の重畳位置を、この特定した輝度に対応付けられた重畳位置に調整することを特徴としている。
【００１２】
また、請求項２に記載の映像システムは、請求項１に記載の映像システムにおいて、前記マスク画像重畳手段は、前記マスク画像を前記映像信号に対応する映像全域にわたって移動させて前記マスク画像の位置を調整する場合に、前記マスク画像に所定の文字、絵柄または両者の映像を付随させて移動させることを特徴としている。
【００１３】
また、請求項３に記載の映像システムは、請求項１または２に記載の映像システムにおいて、前記投影手段は、前記マスク画像の位置を調整する場合、高輝度の映像を前記スクリーンの表面に投影することを特徴としている。
【００１４】
また、請求項４に記載の映像システムは、請求項１から３の何れかに記載の映像システムにおいて、前記マスク画像重畳手段は、前記マスク画像の重畳位置を調整した後に当該マスク画像の大きさを調整することを特徴としている。
【００１８】
【発明の実施の形態】
以下、図面を参照して本発明の実施形態について説明する。
Ａ．実施形態の構成
まず、図１は本発明の一実施形態に係る映像システムを備えた通信会議システムの概略構成を示す図である。同図に示すように、この通信会議システムでは、離れた位置にある２箇所の会議室１１ａ、会議室１１ｂに映像システム１０が設置されており、これらの映像システム１０を備えた通信会議システムを用いてユーザＡおよびユーザＢが会議を行うようになっている。
【００１９】
同図に示すように各会議室１１ａ，１１ｂに設置される映像システム１０は、天井等に取り付けられた映像投影装置１２と、スクリーン１３と、ビデオカメラ１４とを備えている。映像投影装置１２には、相手側のビデオカメラ１４により撮影された映像信号が供給され、これにより相手側のビデオカメラ１４が撮影した映像信号に対応した映像がスクリーン１３に投影されるようになっている。
【００２０】
具体的には、会議室１１ａ内に設置されたビデオカメラ１４により撮影された映像信号Ｖａは会議室１１ｂに設置された映像投影装置１２に図示せぬ通信ネットワークを介して供給される。これにより、会議室１１ｂ内のスクリーン１３には会議室１１ａ内にいるユーザＡ等の映像が投影される。一方、会議室１１ｂ内に設置されたビデオカメラ１４により撮影された映像信号Ｖｂは会議室１１ａに設置された映像投影装置１２に図示せぬ通信ネットワークを介して供給される。これにより、会議室１１ａ内のスクリーン１３には会議室１１ｂ内にいるユーザＢ等の映像が投影される。このようにして、ユーザＡおよびユーザＢは相手側の映像をスクリーン１３で見ることができる。ここで、図示はしないが、会議室１１ａおよび会議室１１ｂ内にはマイクロホンが設置されており、当該マイクロホンにより取得された各会議室１１ａ，１１ｂ内の音声情報が相手側の会議室に設置された音声再生装置等に供給されて再生されるようになっている。したがって、ユーザＡおよびユーザＢは遠隔地にいる相手側の映像や音声を認識することができ、遠隔地間での会議を行うことができるようになっている。
【００２１】
また、各映像投影装置１２には、同じ会議室内に設置されたビデオカメラ１４からの映像信号も供給され、この映像信号を用いて撮影映像の乱れを防止するためのマスク画像の位置調整が行われるが、これについては後述する。
【００２２】
ここで、図２は映像システム１０のスクリーン１３を示す正面図である。図１および図２に示すように、スクリーン１３のほぼ中央部分には矩形状の開口部１３ａが形成されており、この開口部１３ａのスクリーン１３の裏面側にビデオカメラ１４が設置されている。これによりスクリーン１３に投影された映像を見るユーザの視線は、自然とビデオカメラ１４側に向けられることになる。したがって、相手側のスクリーン１３に投影されるユーザの視線が上側や下側などにそれることがなく、スクリーン１３を見るユーザ側に視線が向けられることになる。したがって、会議室１１ａおよび会議室１１ｂにいるユーザＡおよびユーザＢは、互いの視線が不自然にそれた状態ではなく、視線が一致するといった違和感のない状態で会議等を行うことができる。
【００２３】
このように本実施形態に係る映像システム１０を備えた通信会議システムにおいては、スクリーン１３のほぼ中央部分に設けた開口部１３ａの裏面側にビデオカメラ１４を配置することにより、当該通信会議システムを利用するユーザの視線が不自然にずれてしまうといったことを防止することができる。しかしながら、上述したようにビデオカメラ１４に映像投影装置１２の発する光が入射すると、ビデオカメラ１４により撮影された映像にフレアが発生してしまう。そこで、本実施形態では、相手側のビデオカメラ１４から供給される映像信号に対応した映像の内容に関わらず、図３に示すように、常に映像投影装置１２がスクリーン１３の開口部１３ａの部分に黒い画像であるマスク画像Ｍ（図中網線部分）を投影（実際には光を当てない）するようにしている。これにより、ビデオカメラ１４には映像投影装置１２からの光がほとんど入射することがなくなり、上述したフレアの発生をほぼ完全に除去できる。以下、このようなマスク画像Ｍをスクリーン１３上の開口部１３ａの部分に投影させる映像投影装置１２の構成について図４を参照しながら説明する。なお、ここでは会議室１１ａ内に設置された映像システム１０の映像投影装置１２について説明する。
【００２４】
同図に示すように、映像投影装置１２は、映像重畳部５０と、マスク画像制御部５１と、Ｙ／Ｃ分離回路５２と、表示制御部５３と、操作部５４とを備えている。
【００２５】
映像重畳部５０は、相手側のビデオカメラ１４（会議室１１ｂ内に設置）から供給される映像信号Ｖｂに対応する映像に、マスク画像制御部５１から供給されるマスク画像情報Ｖｍに対応したマスク画像をスーパーインポーズすることにより、重畳映像信号Ｖｊを生成して表示制御部５３に出力する。
【００２６】
マスク画像制御部５１は、操作部５４を介したユーザからの指示に応じて、マスク画像のサイズ、形状およびマスク画像を重畳する位置などを制御し、これらの制御内容に応じた画像情報であるマスク画像情報Ｖｍを映像重畳部５０に出力する。映像重畳部５０では、このようにマスク画像情報Ｖｍにしたがった形状、サイズのマスク画像Ｍをマスク画像情報Ｖｍにしたがった重畳位置にスーパーインポーズすることになる。したがって、ユーザは操作部５４を操作し、上述したようにスクリーン１３の開口部１３ａをマスク画像Ｍが覆うようにマスク画像Ｍの重畳位置、形状、サイズ等を調整することができる。
【００２７】
また、マスク画像制御部５１は、上述したような操作部５４を介したユーザの指示によるマスク画像の調整処理を行うだけでなく、開口部１３ａの部分にマスク画像が投影されるように自動的にマスク画像の重畳位置を調整する自動調整処理を行うことが可能であり、この自動調整処理を行った場合には、当該処理により生成されたマスク画像情報Ｖｍを映像重畳部５０に出力する。ここで、自動調整処理を行う際には、Ｙ／Ｃ分離回路５２から供給される輝度信号Ｋが用いられることになるが、この自動調整処理についての詳細は後述する。
【００２８】
Ｙ／Ｃ分離回路５２は、この映像投影装置１２と同室内に設置されるビデオカメラ１４から供給される映像信号ＶａをＹ（輝度）信号とＣ（クロマ）信号とに分離する。このように分離することにより映像信号Ｖａから得られた輝度信号をマスク画像制御部５１に出力する。つまり、会議室１１ａ内に設置されるビデオカメラ１４により撮影された映像の輝度を表す輝度信号を取得し、これをマスク画像制御部５１に出力しているのである。
【００２９】
表示制御部５３は、通常の一般的な映像投影装置の表示制御部と同様の構成であり、映像重畳部５０から供給される重畳映像信号Ｖｊに対応する映像をスクリーン１３に投射する。具体的な構成を例示すると、Ｒ（赤）、Ｇ（緑）、Ｂ（青）の三原色に対応する液晶表示パネルを有しており、これらの液晶表示パネルに映像重畳部５０から供給された重畳映像信号Ｖｊに対応した映像が表示される。このように重畳映像信号Ｖｊに対応した映像が表示される液晶表示パネルに光源が光を照射し、これらの液晶表示パネルを透過した映像がスクリーン１３に投射される。すなわち、図３に示すように、相手側のビデオカメラ１４から供給された映像信号Ｖｂに対応する映像中にマスク画像Ｍが重畳された映像がスクリーン１３に投影される。
【００３０】
Ｂ．マスク画像の重畳位置調整処理
以上説明したのが本実施形態に係る映像システム１０を備えた通信会議システムの構成であり、ユーザが操作部５４を操作することにより相手側から供給される映像信号Ｖｂに対応する映像中にマスク画像Ｍを重畳させる位置を調整することができる。したがって、図３に示すように、スクリーン１３の開口部１３ａの部分にマスク画像Ｍが投影されるようにマスク画像Ｍの位置を調整すれば、開口部１３ａの裏面側に配置されたビデオカメラ１４に映像投影装置１２が発する光の入射が防止され、当該ビデオカメラ１４により撮影された映像（相手側のスクリーン１３に投影される映像）中にフレアが発生することを防止できる。
【００３１】
また、本実施形態における映像投影装置１２では、上述したユーザの手動操作によってマスク画像Ｍの重畳位置を調整する以外にも、映像投影装置１２が自動的に開口部１３ａの部分にマスク画像Ｍが投影されるようにマスク画像Ｍの重畳位置を調整する自動調整処理を行うことも可能であり、以下、この自動調整処理の内容について説明する。なお、自動調整処理は、ユーザから自動調整処理を行う旨の指示があった場合や、電源投入時などに行うようにすればよい。
【００３２】
図５に示すように、自動調整処理が開始されると、マスク画像制御部５１はスクリーン１３に投影されるマスク画像Ｍを網線で示す初期位置から順次Ｍ1の位置、Ｍ2の位置、Ｍ3の位置といった具合にスクリーン１３に投影される映像全域にわたってマスク画像Ｍの位置を図中矢印で示すように移動させる。具体的には、マスク画像制御部５１が重畳位置をずらしたマスク画像情報Ｖｍを映像重畳部５０に順次供給することにより、映像重畳部５０においてマスク画像Ｍの重畳位置のずれた重畳映像信号Ｖｊが順次生成される。このように生成される重畳映像信号Ｖｊを順次表示制御部５３に供給することにより、スクリーン１３上に投影されるマスク画像Ｍの位置を移動させている。このようにマスク画像Ｍを移動させる間、マスク画像Ｍはマスク画像情報Ｖｍに加え、スクリーン１３上の全域に高輝度の映像、例えば白色の映像を表示するための調整用映像信号Ｖｃを映像重畳部５０に供給する。したがって、映像重畳部５０においては、全域が白色の映像中にマスク画像情報Ｖｍにしたがってマスク画像Ｍが重畳された重畳映像信号Ｖｊが生成されることになる。
【００３３】
マスク画像制御部５１は、上述したように映像重畳部５０に重畳位置をずらすためにマスク画像情報Ｖｍを順次供給するととともに、マスク画像Ｍを移動させている間、Ｙ／Ｃ分離回路５２から供給される輝度信号に示される輝度を逐次メモリに記録しておく。ここで、マスク画像制御部５１は、図６に示すように、スクリーン１３上の映像全域にわたって順次移動させるマスク画像Ｍの重畳位置（例えば、座標情報）と、その重畳位置にある時にＹ／Ｃ分離回路５２から供給された輝度信号に示される輝度とを対応付けて記憶する。
【００３４】
そして、スクリーン１３上に投影される映像全域にわたるマスク画像Ｍの移動が終了すると、マスク画像制御部５１は、上述したように記憶しておいた輝度の中から最も小さいものを特定し、当該輝度に対応するマスク画像Ｍの重畳位置を特定する。このように特定した重畳位置を適正な重畳位置とし自動調整処理を終了する。
【００３５】
そして、相手側のビデオカメラ１４から映像信号Ｖｂが供給されて通信会議等が開始されると、上述したように特定した重畳位置にマスク画像Ｍが重畳させるためのマスク画像情報Ｖｍを生成し、映像重畳部５０に供給する。これにより映像重畳部５０では、映像信号Ｖｂに対応する映像中に、上述したように特定された位置にマスク画像Ｍが重畳された重畳映像信号Ｖｊが生成される。したがって、スクリーン１３上には、相手側のビデオカメラ１４から供給される映像信号Ｖｂの映像内容に関わらず、上述したように特定された位置にはマスク画像Ｍが投影されることになる。
【００３６】
上述した自動調整処理によって特定されたマスク画像Ｍの重畳位置は、スクリーン１３上の開口部１３ａの部分に重なる位置であり、自動調整処理後にスクリーン１３上に投影される映像は図３に示すように開口部１３ａの部分にマスク画像Ｍが投影された映像となる。このように上記の特定位置が開口部１３ａの部分に重なる位置であることの理由は次の通りである。
【００３７】
上述した自動調整処理では、全域が白色の映像をスクリーン１３上に投影させている間にマスク画像Ｍを順次移動させている。したがって、マスク画像Ｍが開口部１３ａ以外の位置に投影されている時と、マスク画像Ｍが開口部１３ａの部分に投影されている時とでは、この開口部１３ａの裏面側に配置されたビデオカメラ１４により撮影される映像の輝度は大きく異なっている。すなわち、開口部１３ａの部分にマスク画像Ｍが投影されている時、つまり開口部１３ａの部分に光が入射されていない時には、ビデオカメラ１４には映像投影装置１２の発する光の直接入射がなくなり、この時に撮影された映像の輝度はマスク画像Ｍが他の位置に投影されている時よりも明らかに小さくなる。したがって、上述したように輝度信号が最も小さくなった時のマスク画像Ｍの位置が開口部１３ａの部分に投影されている位置であると判別できるのである。
【００３８】
本実施形態では、スクリーン１３の中央部に開口部１３ａを設け、当該開口部１３ａの裏面側にビデオカメラ１４を設置することにより、遠隔地で会議を行うユーザの視線の不自然なずれを抑制することが可能となる。このように開口部１３ａを設けてビデオカメラ１４を配置した場合、映像投影装置１２の投影光による撮影映像の乱れが問題となるが、本実施形態では、スクリーン１３上に投影する映像上の開口部１３ａの部分にマスク画像Ｍを重畳させることにより、ビデオカメラ１４への光の直接的な入射を防止し、撮影画像にフレアが発生することをほぼ完全に除去することができる。すなわち、本実施形態では、投影光による撮影映像中にフレアを発生させることなく、各ユーザの視線のずれといった問題を解消することができるのである。
【００３９】
また、ビデオカメラ１４による撮影映像中のフレアを防止するために、映像投影装置１２と開口部１３ａとの大きな高低差を設ける必要がなく、天井が低い室内などの設置条件に関わらず、常に撮影映像中のフレアが発生することを防止することができる。また、映像投影装置１２が投影する映像内容（明るい、暗いなど）に関わらず、常にマスク画像Ｍが開口部１３ａの部分に投影されるので、常時フレアの発生を防止することができる。
【００４０】
また、映像投影装置１２の発する光がビデオカメラ１４に直接入射することを低減するために、カットマスクなどを設けて開口部１３ａのサイズを小さくする（図１０参照）必要がないため、ビデオカメラ１４の画角を十分にとることができる。
【００４１】
また、本実施形態では、上述したような自動調整処理を行うことができるので、ユーザはマスク画像Ｍの位置を調整するといった操作を行うことなく、マスク画像Ｍを適正な位置に重畳させることができる。
【００４２】
Ｃ．変形例
なお、本発明は、上述した実施形態に限定されるものではなく、以下のような種々の変形が可能である。
【００４３】
（変形例１）
上述した実施形態においては、マスク画像Ｍは矩形状であったが、マスク画像Ｍの形状はこれに限らず、円形、楕円形、正方形など他の形状であってもよい。また、マスク画像Ｍの形状を予め他種類用意しておき、開口部１３ａの形状に応じて、ユーザが操作部５４を操作してマスク画像Ｍの形状を設定できるようにすればよい。
【００４４】
（変形例２）
また、上述した実施形態では、自動調整処理によってマスク画像Ｍの重畳位置を調整するようにしていたが、重畳位置だけではなく、マスク画像Ｍのサイズを自動調整できるようにしてもよい。この場合には、予め大きめのサイズのマスク画像Ｍをスクリーン１３上の全域を移動させて、上述したように重畳位置を特定した後、特定した重畳位置においてマスク画像Ｍのサイズを順次小さくする。そして、マスク画像Ｍのサイズを小さくする間に取得される輝度信号に示される輝度が明るく変化する直前のサイズを適正サイズとすればよい。これは、輝度が明るく変化したマスク画像Ｍのサイズは、開口部１３ａのサイズよりも小さくなっており、映像投影装置１２の光がビデオカメラ１４に直接入射していると考えられるからである。したがって、輝度が変化する直前のサイズは、開口部１３ａをマスク画像Ｍが覆うことができるとともに、必要以上にマスク画像Ｍのサイズが大きくなっていないものと考えられ、このサイズに設定すればマスク画像Ｍが投影すべき映像の妨げになることも低減できる。
【００４５】
（変形例３）
また、上述した実施形態における自動調整処理では、マスク画像Ｍをスクリーン１３上の映像を上下方向に順次移動させるようにしているが（図５中の矢印参照）、マスク画像Ｍがスクリーン１３上の映像の全域を移動すればよく、移動方向等は任意である。また、自動調整処理中のマスク画像Ｍを移動させる際に、マスク画像Ｍに加え、会社名や商品名などの文字や図７に示すようなキャラクターなどの絵柄をマスク画像Ｍに併せて移動させるようにしてもよい。このようにすれば、自動調整処理中にスクリーン１３上に投影される映像が白色上に黒い画像であるマスク画像Ｍが移動するといったあじけないものではなく、動物などのキャラクターなどが移動するといった趣のあるものとすることができる。
【００４６】
（変形例４）
また、上述した実施形態では、自動的にマスク画像Ｍの位置を調整する自動調整機能を備えた映像投影装置１２について説明したが、映像投影装置１２、スクリーン１３およびビデオカメラ１４の位置関係が常に固定である映像システム１０の場合には、マスク画像Ｍを重畳する位置を調整する機能を有していないものであってもよい。この場合、予めスクリーン１３の開口部１３ａの部分にマスク画像Ｍが投影される重畳位置を求めておき、この位置にマスク画像Ｍを重畳させるようにすればよい。
【００４７】
（変形例５）
また、上述した実施形態では、マスク画像の位置を自動調整する自動調整処理において、全域に白色の映像を投影させ、この白色映像中へのマスク画像の重畳位置を移動させるようにしていたが、全域に投影させる映像は白色に限らず、高輝度の映像であれば、白色の場合とほぼ同様の効果が得られる。
【００４８】
【発明の効果】
以上説明したように、本発明によれば、通信会議システム等に使用した場合に、ユーザの視線がずれるなどの不自然な映像が写し出されることを抑制するとともに、フレアが発生する等の映像の不具合をほぼ完全に防止することが可能となる。
【図面の簡単な説明】
【図１】  本発明の一実施形態に係る映像システムを備えた通信会議システムの概略構成を示す図である。
【図２】  前記映像システムの構成要素であるスクリーンを示す正面図である。
【図３】  前記映像システムの構成要素である映像投影装置が前記スクリーン上に投影している映像を示す図である。
【図４】  前記映像投影装置の構成を示すブロック図である。
【図５】  前記映像投影装置により実行されるマスク画像の重畳位置の自動調整処理を説明するための図である。
【図６】  前記マスク画像の重畳位置調整処理時にマスク画像の重畳位置と映像の輝度と記憶するメモリの構成を示す図である。
【図７】  前記映像システムの変形例による前記マスク画像の重畳位置の自動調整処理を説明するための図である。
【図８】  従来の通信会議システムの概略構成を示す図である。
【図９】  従来の他の通信会議システムを説明するための図である。
【図１０】  従来のその他の通信会議システムを説明するための図である。
【符号の説明】
１０……映像システム、１１ａ，１１ｂ……会議室、１２……映像投影装置、１３……スクリーン、１３ａ……開口部、１４……ビデオカメラ、５０……映像重畳部、５１……マスク画像制御部、５２……Ｙ／Ｃ分離回路、５３……表示制御部、５４……操作部、Ｍ……マスク画像
【図１】
0003674474.tif 000002
【図２】
0003674474.tif 000003
【図３】
0003674474.tif 000004
【図４】
0003674474.tif 000005
【図５】
0003674474.tif 000006
【図６】
0003674474.tif 000007
【図７】
0003674474.tif 000008
【図８】
0003674474.tif 000009
【図９】
0003674474.tif 000010
【図１０】
0003674474.tif 000011